(57)【要約】      （修正有）【課題】多くの種類のイヤホンに容易に装着することができ、イヤホンの不使用時における配線の絡まりを容易に防止することができるイヤホン収容体、及びイヤホン収容体を備えたイヤホンを提供する。【解決手段】イヤホン収容体１は、イヤホン１００の配線１０３L、１０３Ｒを挿通して被覆することができる両端に開口部３、４を形成する筒状部２と、前記筒状部２と前記筒状部２に挿通した前記配線とを固定する固定部５とを備え、前記筒状部２は人力によって前記配線方向に不規則な蛇腹状に収縮可能な可撓性材料よりなる。【選択図】図１
2014087038.tif 000002
【特許請求の範囲】
【請求項１】
イヤホンの配線を挿通して被覆することができる両端に開口部を形成する筒状部と、
前記筒状部と前記筒状部に挿通した前記配線とを固定する固定部と、を備え、
前記筒状部は人力によって前記配線方向に不規則な蛇腹状に収縮可能な可撓性材料よりなるイヤホン収容体。
【請求項２】
前記固定部を前記筒状部の端部近傍に配設した請求項１に記載のイヤホン収容体。
【請求項３】
前記筒状部は前記固定部で固定される前記筒状部の内周壁に滑り止め部を備えた請求項１または請求項２に記載のイヤホン収容体。
【請求項４】
前記筒状部の端部近傍に、不規則な蛇腹状に収縮した前記筒状部を被覆するカバー体を備えた請求項１から請求項３に記載のイヤホン収容体。
【請求項５】
前記カバー体は可撓性材料よりなる両端にカバー体第一開口部とカバー体第二開口部とを形成する中空の袋状であって、
前記カバー体第一開口部を形成する前記カバー体の端縁部と前記筒状部の端縁部とを全周に渡り連接し、
前記カバー体第二開口部を形成する前記カバー体の端部側には前記カバー体第二開口部の内径を伸縮自在とする伸縮部を形成した請求項４に記載のイヤホン収容体。
【請求項６】
前記伸縮部は前記カバー体第二開口部を形成する前記カバー体の端部側に全周に渡り紐状の弾性体を配設した請求項５に記載のイヤホン収容体。
【請求項７】
前記カバー体は可撓性材料よりなる両端にカバー体第三開口部とカバー体第四開口部とを形成する中空の袋状であって、
前記カバー体第三開口部を形成する前記カバー体の端縁部と前記筒状部の端縁部とを全周に渡り連接し、
前記カバー体第四開口部を形成する前記カバー体の端部側には全周に渡り前記筒状部の外径よりも大きい内径を有したフレーム体を配設した押し下げ部を備えた請求項４に記載のイヤホン収容体。
【請求項８】
前記カバー体は可撓性材料よりなるシート状であって、
前記カバー体の端縁部と前記筒状部の端縁部とを連接し、
前記カバー体を前記筒状部の開口部と反対側に折り返して袋状とすることができるように前記カバー体または前記カバー体と前記筒状部とに係合部を形成した請求項４に記載のイヤホン収容体。
【請求項９】
配線の途中に請求項１に記載のイヤホン収容体を備えたイヤホン。
【請求項１０】
配線の途中に請求項４に記載のイヤホン収容体を備えたイヤホン。
【発明の詳細な説明】
【技術分野】
【０００１】  本発明は、イヤホンの配線の絡まりを防止するイヤホン収容体、及びイヤホン収容体を備えたイヤホンに関する。
【背景技術】
【０００２】  従来、オーディオ機器等で使用されるステレオタイプのイヤホンは、機器本体に備えた音声出力端子にイヤホンの接続端子を挿入し、左右の耳にイヤホンの各スピーカユニット部を装着することで音楽等を聴くことができるものが一般的である。これはすなわち、イヤホンの接続端子から各スピーカユニット部までが有線として一体となっているものであり、左右の耳に各スピーカユニット部を容易に装着できるように配線の途中にＹ字状の分岐部を有するものである。【０００３】  しかしながら、このような有線のイヤホンは、分岐部を介して３本の配線が自在に動くことができるため、使用中においては体の動きに追従して良好な役割を果たすが、使用後においては、３本の各配線が不規則に絡んでしまうことが多い。そのため、次に使用する際には、絡んだ配線を解かなければ使用することができず、非常に煩わしいものとなっていた。【０００４】  一般的にイヤホンの一本の配線の外径は約１．４ｍｍ程度であり、非常に細く柔軟性を有しているため、配線を不規則に丸めて鞄等に収納した際には、配線よりも重いスピーカユニット部や接続端子が振動や傾斜等によって動きやすく、これらが配線の間を移動することで配線が複雑に絡んでしまう。【０００５】  従って、スピーカユニット部が一つであるモノラルタイプのイヤホンにおいても、同様に配線が絡んでしまうといった問題を有していた。【０００６】  このような問題を解決するものとして、Ｙ字状の分岐部から左右のスピーカユニット部にかけて規則正しく複数の筒状に折畳まれた収納部材が袋状に展開して２本の配線を包み込む方法が特許文献１において開示されている。しかしながら、このような袋状の収納部材を製造することは非常に困難であり、更に、収納部材として使用しないときには配線の途中にこの収納部材が存在したままとなり、最外の筒状部までを含む全体の外形が非常に大きいため、デザイン的にも課題を有していた。【０００７】  また、左右のスピーカユニット部近傍を束ねて保持する部材を備えたイヤホンが特許文献２に開示されており、同様の構造のものが販売されている。しかし、この場合においても、束ねられた部分とＹ字状の分岐部までの間にはループ状の空間を有するため、接続端子や左右のスピーカユニット部自体がこのループ状の空間に入り込んでしまい、配線の絡まりを解決するには至っていなかった。【０００８】  以上のような方法以外にも様々な改善策が検討され実施されているが、配線の絡まりを依然として解決できなかったところ、配線の巻取り機構を有するイヤホン（特許文献３参照）や、配線をスライドファスナーと一体とすることで可能な限り３本の配線を１本に近いものとすることで配線の絡まりを改善するイヤホン（特許文献４参照）が開示され、実際に販売されている。
【先行技術文献】
【特許文献】
【０００９】
【特許文献１】  特開２０１１−１９９７１３号公報
【特許文献２】  特開２０１１−０６６７５８号公報
【特許文献３】  実登３１０２２０９号公報
【特許文献４】  実等３１３２９８３号公報
【発明の概要】
【発明が解決しようとする課題】  しかしながら、配線の巻取り機構を有するイヤホン（特許文献３）は、当該機構がイヤホンと一体となっていることから、イヤホンの本質的な性能としての音質や製造メーカー、及び全体的なデザイン等といったイヤホンを購入する際に検討する要素について選択の幅が非常に狭いものとなっていた。従って、配線の絡まり防止策を購入時の最大の検討要素とする結果、需要者に対してイヤホンとしての本質的な部分を満足させることができなくなっていた。【００１０】  また、イヤホン自体はその構造上、全長１．２ｍのもので約１２ｇ程度と非常に軽量なものでありながら配線の巻取り機構を有することで約２２ｇ程度となりイヤホン全体が約１０ｇ程度も重くなり、その全体の重さによって使用者の動作次第では左右のスピーカユニット部が使用者の耳から外れてしまうといった問題があった。【００１１】  また、巻取り機構の構造上、配線の途中にコントローラを備えることができず、購入時の選択の余地がなかった。【００１２】  スライドファスナーと配線とが一体となったイヤホン（特許文献４）にあっても、需要者がイヤホンを購入する際の選択の幅が限定されてしまう点、及びイヤホン自体が重くなり、左右のスピーカユニット部が耳から外れてしまう点、更には、コントローラを備えることができない点が上述同様に問題であった。【００１３】  また、本来は柔軟な配線がスライドファスナーと一体となっていることから、分岐部を介して３本の配線が自在に動くことが阻害され、使用中における体の動きに追従し難く、左右のスピーカユニット部が耳から外れてしまい易いといった問題点も有していた。【００１４】  更に、上述したようなイヤホンは、構造が複雑であるため故障し易く、価格も高価なものとなっていた。【００１５】  また、このような配線の絡まり防止機構を有したイヤホンは、機構上の制約から外観的に無機質なものとなるか、全体として非常に目立つものとなっており、使用頻度の高い外出先において万人が抵抗なく使用できものとはなっていなかった。【００１６】  また、両耳を挟持する形で使用するヘッドマウント型のヘッドホンにおいては、屋外で使用されるケースが増加しているにも関わらず配線の絡まり防止策について、ほとんど検討されていなかった。【００１７】  更に、スピーカユニット部が一つであるモノラルタイプのイヤホンにおいては、需要の低下に伴い、配線の絡まり防止策について、ほとんど検討されていない状況になっていた。【００１８】  本発明は、以上のような事情に鑑みてなされたものであり、多くの種類のイヤホンに容易に装着することができ、イヤホンの不使用時における配線の絡まりを容易に防止することができるイヤホン収容体、及びイヤホン収容体を備えたイヤホンを提供することにある。
【課題を解決するための手段】
【００１９】  以上のような目的を達成するために、本発明は以下のようなものを提供する。【００２０】  請求項１に係る発明では、イヤホンの配線を挿通して被覆することができる両端に開口部を形成する筒状部と、前記筒状部と前記筒状部に挿通した前記配線とを固定する固定部とを備え、前記筒状部は人力によって前記配線方向に不規則な蛇腹状に収縮可能な可撓性材料よりなるイヤホン収容体。【００２１】  請求項２に係る発明では、前記固定部を前記筒状部の端部近傍に配設した請求項１に記載のイヤホン収容体。【００２２】  請求項３に係る発明では、前記筒状部は前記固定部で固定される前記筒状部の内周壁に滑り止め部を備えた請求項１または請求項２に記載のイヤホン収容体。【００２３】  請求項４に記載の発明では、前記筒状部の端部近傍に、不規則な蛇腹状に収縮した前記筒状部を被覆するカバー体を備えた請求項１から請求項３に記載のイヤホン収容体。【００２４】  請求項５に記載の発明では、前記カバー体は可撓性材料よりなる両端にカバー体第一開口部とカバー体第二開口部とを形成する中空の袋状であって、前記カバー体第一開口部を形成する前記カバー体の端縁部と前記筒状部の端縁部とを全周に渡り連接し、前記カバー体第二開口部を形成する前記カバー体の端部側には前記カバー体第二開口部の内径を伸縮自在とする伸縮部を形成した請求項４に記載のイヤホン収容体。【００２５】  請求項６に記載の発明では、前記伸縮部は前記カバー体第二開口部を形成する前記カバー体の端部側に全周に渡り紐状の弾性体を配設した請求項５に記載のイヤホン収容体。【００２６】  請求項７に記載の発明では、前記カバー体は可撓性材料よりなる両端にカバー体第三開口部とカバー体第四開口部とを形成する中空の袋状であって、前記カバー体第三開口部を形成する前記カバー体の端縁部と前記筒状部の端縁部とを全周に渡り連接し、前記カバー体第四開口部を形成する前記カバー体の端部側には全周に渡り前記筒状部の外径よりも大きい内径を有したフレーム体を配設した押し下げ部を備えた請求項４に記載のイヤホン収容体。【００２７】  請求項８に記載の発明では、前記カバー体は可撓性材料よりなるシート状であって、前記カバー体の端縁部と前記筒状部の端縁部とを連接し、前記カバー体を前記筒状部の開口部と反対側に折り返して袋状とすることができるように前記カバー体または前記カバー体と前記筒状部とに係合部を形成した請求項４に記載のイヤホン収容体。【００２８】  請求項９に記載の発明では、配線の途中に請求項１に記載のイヤホン収容体を備えたイヤホン。【００２９】  請求項１０に記載の発明では、配線の途中に請求項４に記載のイヤホン収容体を備えたイヤホン。
【発明の効果】
【００３０】  本発明によれば、配線の絡まり防止機構を有していない通常の多くの種類のイヤホンにイヤホン収容体を装着することで、イヤホンの不使用時における配線の絡まりを防止できると共に、簡単な操作で可及的速やかにイヤホンを使用することが可能となる。
【図面の簡単な説明】
【００３１】
【図１】本発明の第一の実施形態に係るイヤホン収容体を示す図で、（ａ）はその上方斜視透視図、（ｂ）はイヤホンに装着した状態を示す斜視透視図、（ｃ）はイヤホンに装着して筒状部を収縮させた状態を示す斜視透視図、（ｄ）は下開口部側の筒状部近傍を示す下方斜視透視図である。
【図２】第一の実施形態に係るイヤホン収容体を示す図で、（ａ）はその上方斜視透視図、（ｂ）はイヤホンに装着した状態を示す斜視透視図、（ｃ）はイヤホンに装着して筒状部を収縮させた状態を示す斜視透視図、（ｄ）は上開口部側の筒状部近傍を示す上方斜視透視図である。
【図３】（ａ）、（ｂ）、（ｃ）は第一の実施形態に係るイヤホン収容体をコントローラ付きのイヤホンに装着して筒状部を収縮させた状態を示す斜視透視図である。
【図４】本発明の第二の実施形態に係るイヤホン収容体を示す図で、（ａ）はその上方斜視透視図、（ｂ）はカバー体を裏返した状態を示す上方斜視透視図、（ｃ）はカバー体を裏返してカバー体開口部を広げた状態を示す上方斜視透視図である。
【図５】第二の実施形態に係るイヤホン収容体をイヤホンに装着した状態を示す図で、（ａ）はその斜視透視図、（ｂ）はカバー体を裏返してスピーカユニット部をカバー体で被覆した状態を示す斜視透視図、（ｃ）は筒状部を収縮させカバー体で被覆した状態を示す斜視透視図である。
【図６】本発明の第三の実施形態に係るイヤホン収容体を示す図で、（ａ）はその上方斜視透視図、（ｂ）はカバー体を裏返した状態を示す上方斜視透視図である。
【図７】第三の実施形態に係るイヤホン収容体をイヤホンに装着した状態を示す図で、（ａ）はその斜視透視図、（ｂ）はカバー体を裏返してスピーカユニット部をカバー体で被覆した状態を示す斜視透視図、（ｃ）は筒状部を収縮させカバー体で被覆した状態を示す斜視透視図である。
【図８】本発明の第四の実施形態に係るイヤホン収容体を示す図で、（ａ）はその正面上方斜視透視図、（ｂ）はその背面上方斜視透視図である。
【図９】第四の実施形態に係るイヤホン収容体をイヤホンに装着した状態を示す図で、（ａ）はその正面斜視透視図、（ｂ）はスピーカユニット部をカバー体で被覆した状態を示す正面斜視透視図、（ｃ）は筒状部を収縮させカバー体で被覆した状態を示す正面斜視透視図である。
【図１０】第二の実施形態の変形例に係るイヤホン収容体を示す図で、（ａ）はその上方斜視透視図、（ｂ）はカバー体を裏返した状態を示す上方斜視透視図、（ｃ）はカバー体を裏返してカバー体開口部を広げた状態を示す上方斜視透視図である。
【図１１】第二の実施形態の変形例に係るイヤホン収容体をイヤホンに装着した状態を示す図で、（ａ）はその斜視透視図、（ｂ）はカバー体を裏返して中央配線をカバー体で被覆した状態を示す斜視透視図、（ｃ）は筒状部を収縮させカバー体で被覆した状態を示す斜視透視図である。
【図１２】（ａ）は第一の実施形態に係るイヤホン収容体の筒状部の外周壁にデザイン等を施したものをイヤホンに装着した状態を示す外観斜視図、（ｂ）は第二の実施形態に係るイヤホン収容体のカバー体の表面にデザイン等を施したものをイヤホンに装着して筒状部を収縮させカバー体で被覆した状態を示す外観斜視図である。
【発明を実施するための形態】
【００３２】  次に、本発明の実施の形態を図面を示して説明する。
【００３３】  この発明は、イヤホン１００，１００ａ，１００ｂの配線１０３Ｒ，１０３Ｌ，１０４を挿通して被覆することができる両端に上下開口部３，４を形成する筒状部２と、筒状部２と筒状部２に挿通した配線１０３Ｒ，１０３Ｌ，１０４とを固定する第一固定部５とを備え、筒状部２は人力によって配線方向に不規則な蛇腹状に収縮可能な可撓性材料よりなるイヤホン収容体１，５０，５０ａ，６０，７０である。すなわち、多くの種類のイヤホン１００，１００ａ，１００ｂに容易に装着することができ、イヤホン１００，１００ａ，１００ｂの不使用時における配線１０３Ｒ，１０３Ｌ，１０４の絡まりを容易に防止することができるイヤホン収容体１，５０，５０ａ，６０，７０を提供せんとするものである。
【００３４】［第一の実施形態］
図１（ａ）は、第一の実施形態に係るイヤホン収容体１を示したものである。また、図１（ｂ）は、第一の実施形態に係るイヤホン収容体１をイヤホン１００の各配線１０３Ｒ，１０３Ｌ，１０４が集合したＹ字状の分岐部１０１より下方の中央配線１０４の任意の箇所で固定して、左右配線１０３Ｒ，１０３Ｌを主として被覆するように装着した状態であって、イヤホン１００を収容した不使用時の状態を示したものである。また、図１（ｃ）は、イヤホン収容体１で被覆された左右配線１０３Ｒ，１０３Ｌを露出させて、イヤホン１００を使用可能とした状態を示している。
【００３５】  イヤホン収容体１の筒状部２は、両端に上下開口部３，４を形成する筒状であって、下開口部４側の筒状部２の端部近傍にイヤホン１００の任意の各配線１０３Ｒ，１０３Ｌ，１０４の一部を筒状部２と共に固定することができる第一固定部５を配設している。
【００３６】  筒状部２の上開口部３の大きさは、イヤホン１００の左右のスピーカユニット部１０２Ｒ，１０２Ｌが上開口部３から容易に筒状部２の内部に入らない程度の大きさに形成している。また、筒状部２の形状は、上下開口部３，４を同様の大きさとし、筒状部２の長手方向全体に渡って上下開口部３，４と同様の大きさの配線挿通用の空間を備えた平面視円形状で側面視長方形状として形成している。
【００３７】  なお、筒状部２の形状は、各配線１０３Ｒ，１０３Ｌ，１０４の挿通が可能であれば本実施形態の形状に限定されるものではなく、例えば、上開口部３と下開口部４の大きさを異なるものとして平面視円形状で側面視台形状としてもよく、その他、発明の要旨を逸脱しない範囲の設計変更等があっても本発明に含まれる。
【００３８】  更に、筒状部２は、イヤホン１００への装着後に筒状であればよいため、イヤホン１００への装着の際にはシート状であるものを、シート（図示せず）の端部に設けた面ファスナーやボタンやスライドファスナー等で互いに係合して筒状とすることも可能である。
【００３９】  また、筒状部２は、図１（ｂ）、（ｃ）に示すように、イヤホン１００の配線方向である下開口部４方向に人力によって可及的速やかに不規則な蛇腹状に収縮できると共に、収縮状態からイヤホン１００の配線方向である上開口部３方向に可及的速やかに元の筒状態に復帰させることができるように構成している。
【００４０】  このような収縮と復帰を繰り返し行うためには、筒状部２を可撓性材料で形成する必要がある。従って、筒状部２の材質は、薄くて、軽く、強度、及び摺動性を有した材料であることが望ましく、例えば、本実施形態においては、上記を満たし、価格的にも比較的廉価な、いわゆる傘生地（主に傘の雨除け部分となるカバー部に使用される）のようなものであって化学的な合成繊維のポリエステル製の０．０９ｍｍの厚みを有する材料を使用している。本材料を使用して、筒状部２の長さを３８ｃｍとし、第一固定部５を備えたイヤホン収容体１の重量は約２．１ｇであり非常に軽量である。
【００４１】  また、摺動性に優れた、いわゆる裏生地（主に服等の裏側に使用される生地）であってポリエステル製の０．２３ｍｍの厚みを有する材料を使用して、筒状部２の長さを３８ｃｍとして、第一固定部５を備えたイヤホン収容体１の重量は約２．９ｇであり、両者とも充分に軽量である。しかし、イヤホン１００の使用者に可能な限りイヤホン収容体１の存在を意識させないためには、できる限り薄い材料を選択することが望ましい。また操作性を重視して、材料が有する摺動性に重点を置くことも必要であるため、摺動性と厚みのバランスを考慮して適宜材料を決定すればよい。従って、筒状部２の材料の厚みはイヤホン収容体１として機能する限り本発明の要旨の範囲内であり、本実施形態に限定されるものではない。
【００４２】  上述した筒状部２の材質については、傘生地である合成繊維のナイロンや、合成繊維と天然素材の綿等との混紡によるもの、又は、合成繊維のメッシュやレース素材等を使用することもでき、更に、合成繊維以外の綿や繊維以外の塩化ビニルやポリエチレンやポリプロピレン等のシート素材等であってもイヤホン収容体１として機能する限り本発明の要旨の範囲内であり、筒状部２の材質は、本実施形態に限定されるものではない。
【００４３】  なお、筒状部２の長さは、人力によって可及的速やかに不規則な蛇腹状に収縮できる限り、本発明の要旨の範囲内である。
【００４４】  また、第一固定部５は、図１（ａ）、（ｂ）に示すように、イヤホン１００の中央配線１０４を筒状部２の外側から締め付けて固定するために、帯状であって表面と裏面とにフック状とループ状の異なる一対の面ファスナーを有する第一固定体６を中央配線１０４に巻き付けて係合固定できるように構成している。
【００４５】  なお、第一固定部５と後述する第二固定部１０は、第一・第二固定体６，１１として面ファスナー以外にスナップボタンやホック、バックルや紐、接着部材等の固定可能な部材をデザインや機能に応じて適宜使用できるが、これらを筒状部２と一体として構成するか、別体として外部から装着するかは任意に選択できる。また、筒状部２の一方の外周壁１５を貫通し、かつ、反対側の他方の外周壁１５も貫通させ、当該部分を第一・第二固定体６，１１が挿通可能な固定用孔（図示せず）として第一・第二固定部５，１０とすることもできる。この場合、例えば、紐等の第一・第二固定体６，１１を固定用孔に挿通して、固定用孔の近傍の配線を筒状部２の外側から筒状部２と共に結紐して固定することができる。
【００４６】  以上、第一・第二固定部５，１０を形成する方法は、本実施形態に限定されるものではなく、筒状部２と配線とを固定可能であれば、発明の要旨を逸脱しない範囲の設計変更等があっても本発明に含まれる。
【００４７】  また、第一固定部５や第二固定部１０による固定が接着によるものではない場合には、イヤホン１００の中央配線１０４と筒状部２との固定をより確実なものとするために、図１（ｄ）に示すように、第一固定部５や第二固定部１０によって固定される筒状部２の内周壁７（中央配線１０４と当接する部分）に、約０．２ｍｍ程度の厚みのゴムシート８を滑り止め部９として配設することもできる。
【００４８】  なお、第一固定部５や第二固定部１０によってイヤホン収容体１を、何れの配線の何れの場所で固定するかについては、イヤホン収容体１の長さやＹ字状の分岐部１０１の位置や後述するコントローラ１０６の位置等によって使用する者が任意に決めることができる。従って、本発明は上述した固定箇所に限定されるものではない。
【００４９】  滑り止め部９は、筒状部２をイヤホン１００の配線方向である上下開口部３，４方向に収縮・復帰させる際の力の向きに第一固定部５が連動して動いてしまうこと、及びイヤホン１００の使用時や不使用時に第一固定部５や第二固定部１０がイヤホン収容体１自身の自重や振動等によって動いてしまうことを防止するためのものであり、より確実な固定を可能とするものである。
【００５０】  なお、滑り止め部９の材質や厚み、構造等は、本実施形態に限定されるものではなく、また、イヤホン１００の使用時・不使用時の各状況に応じて第一固定部５や第二固定部１０を動かす必要がある場合には、滑り止め部９を配設する必要はない。
【００５１】  本実施形態においては、図２（ａ）に示すように、第一固定部５と同構造の第二固定部１０を第一固定部５と反対側の上開口部３側の筒状部２の端部近傍にも配設することができる。
【００５２】  このように、第二固定部１０を配設することで、図２（ｂ）に示すように、イヤホン１００の不使用時には、イヤホン１００の左右のスピーカユニット部１０２Ｒ，１０２Ｌ近傍で第二固定部１０の面ファスナーによる第二固定体１１で固定することで、上開口部３近傍の筒状部２が下方に下がって、イヤホン１００の左右配線１０３Ｒ，１０３Ｌが広範に露出することを防止でき、各配線１０３Ｒ，１０３Ｌ，１０４の絡まり防止を更に確実なものとすることができる。また、左右のスピーカユニット部１０２Ｒ，１０２Ｌの一方又は全部が筒状部２の内部に入り込むことを確実に防止することができる。
【００５３】  また、図２（ｃ）に示すように、イヤホン１００の使用時においても、筒状部２が下開口部４側に不規則な蛇腹状に収縮した状態で第二固定部１０によって筒状部２と左右配線１０３Ｒ，１０３Ｌとを固定することで、収縮した筒状部２が復帰しようとする付勢力によって上方に移動することを防止できるので、イヤホン１００使用時にイヤホン収容体１が邪魔になることを防止できる。
【００５４】  また、図２（ａ）に示すように、上開口部３側の筒状部２の端部に帯状の摘み部１２を配設することができる。摘み部１２は、図２（ｂ）、（ｃ）に示すように、イヤホン１００の不使用時から使用時への筒状部２の収縮の際や、イヤホン使用時から不使用時への筒状部２の復帰の際に当該部分を筒状部２の上下開口部３，４方向に移動させることで筒状部２の収縮・復帰を容易にすることができるものである。
【００５５】  なお、図２（ｄ）に示すように、摘み部１２を、筒状部２の端部であって摘み部１２の基部１３と対向する上開口部３の端部側１４に渡して係合させ、上開口部３が２分割となるようにしてもよい。係合方法は、例えば、第二固定体１１が配設されている場合には、第二固定体１１が備える面ファスナーと係合させることができ、また、第二固定体１１を備えない場合には、上開口部３の端部側１４であって筒状部２の外周壁１５に面ファスナー（図示せず）を配設することによって行うことができる。また、更に、これらの係合はスナップボタンやホック、バックル等によっても可能である
【００５６】  このように、２つに分割された上開口部３の左右開口部１６，１７の各々にイヤホン１００の左右のスピーカユニット部１０２Ｒ，１０２Ｌの各配線１０３Ｒ，１０３Ｌが各々挿通されるようにすることで、イヤホン１００の不使用時に左右のスピーカユニット部１０２Ｒ，１０２Ｌが上開口部３から筒状部２の内部に入り込むことを確実に防止することができる。
【００５７】  以上のような、滑り止め部９や第二固定部１０や摘み部１２については、第一の実施形態、及び後述する他の実施形態や変形例において、適宜、任意に付加することができる。
【００５８】  次に、以上のように構成した第一の実施形態に係るイヤホン収容体１の使用態様について説明する。
【００５９】  まず、図１（ａ），（ｂ）に示すように、イヤホン１００のＹ字状の分岐部１０１下方であって中央配線１０４の任意の箇所においてイヤホン収容体１と中央配線１０４とを固定する場合には、上開口部３からイヤホン１００の接続端子１０５、中央配線１０４、左右配線１０３Ｒ・１０３Ｌの順でイヤホン収容体１内部へこれらを挿通し、下開口部４から接続端子１０５と中央配線１０４の一部を外部に露出させる。
【００６０】  なお、本実施形態で使用しているイヤホン１００の接続端子１０５の形状はストレート型であるが、Ｌ型の接続端子やその他形状の接続端子であっても筒状部２が可撓性を有しているので、イヤホン収容体１内部へ挿通することが可能である。
【００６１】  更に、各配線１０３Ｒ，１０３Ｌ，１０４が挿通されたイヤホン収容体１の下開口部４を、分岐部１０１下方の中央配線１０４の任意の箇所に移動させ、第一固定部５である第一固定体６をイヤホン収容体１の筒状部２を介して中央配線１０４に巻き付けて係合固定する。
【００６２】  このようにイヤホン収容体１をイヤホン１００に装着することで、イヤホン１００を使用しないときには、左右のスピーカユニット部１０２Ｒ，１０２Ｌの各配線１０３Ｒ，１０３Ｌをイヤホン収容体１で被覆することができるので、本来は細くて軽い柔軟な２つの配線１０３Ｒ，１０３Ｌを、イヤホン収容体１を含めて外観上、及び物理的に太い１本の配線とみなすことができる。従って、２本の配線１０３Ｒ，１０３Ｌの重さとイヤホン収容体１の重さとによって、左右のスピーカユニット部１０２Ｒ，１０２Ｌの動きが規制されると共に、各配線１０３Ｒ，１０３Ｌの本来の柔軟な動きがイヤホン収容体１によって規制される。
【００６３】  従って、イヤホン収容体１に収容されたイヤホン１００を鞄や洋服のポケット等に収納しても、振動や傾斜によって左右のスピーカユニット部１０２Ｒ，１０２Ｌが自由に動くこともなく、これらが各配線１０３Ｒ，１０３Ｌ，１０４の間を移動することもないので、各配線１０３Ｒ，１０３Ｌ，１０４が絡まることがなく、次に使用する際に配線の絡まりを解く煩わしさがない。
【００６４】  なお、筒状部２、又は後述する各カバー体１８，２５，３０、又はその両方には、イヤホン１００不使用時に筒状部２で被覆されない配線や接続端子１０５を仮止めできるような仮止め部（図示せず）を配設してもよい。仮止め部は、例えば、筒状部２や各カバー体１８，２５，３０に、接続端子１５を挿通や収容等できるような構成とすることができる。
【００６５】  このように仮止め部を配設すれば、イヤホン１００の不使用時に筒状部２で被覆されない配線等をイヤホン収容体１で固定できるので、配線の絡まり防止と共に、イヤホン１００収納時の全体のまとまりを良くすることができる。
【００６６】  イヤホン１００を使用する際には、図１（ｂ）、（ｃ）に示すように、左右のスピーカユニット部１０２Ｒ，１０２Ｌ側近傍の筒状部２を手指で把持して下開口部４側に向かって押し下げる。これにより、左右の配線１０３Ｒ，１０３Ｌを被覆していた筒状部２を分岐部１０１下方に不規則な蛇腹状に収縮させることができるため、簡単な操作で左右の配線１０３Ｒ，１０３Ｌが露出し、可及的速やかに左右のスピーカユニット部１０２Ｒ，１０２Ｌを左右の耳に装着して使用することが可能となる。
【００６７】  なお、収縮した筒状部２は、元の筒状に戻ろうとする若干の付勢力が発生するが、左右のスピーカユニット部１０２Ｒ，１０２Ｌを両耳に装着することによって、上開口部３から露出した左右の配線１０３Ｒ，１０３Ｌが上開口部３の内径を超えて外側に開き、この左右の配線１０３Ｒ，１０３Ｌが上開口部３の端縁部と接触して抵抗となり、収縮した筒状部２の復帰を抑制することが可能となる。
【００６８】  次に、配線１０３Ｒ，１０３Ｌ，１０４の途中や分岐部１０１にコントローラ１０６が配設されているようなイヤホン１００ａ，１００ｂであって、コントローラ１０６が筒状部２内に挿通できる程度の外形を有している場合についてのイヤホン収容体１の装着と使用態様についての説明を行う。
【００６９】  例えば、図３（ａ）に示すように、左右のスピーカユニット部１０２Ｒ，１０２Ｌのいずれかの配線１０３Ｒ，１０３Ｌの途中にコントローラ１０６を配設した第一コントローラ付きイヤホン１００ａの場合には、特にコントローラ１０６の有無を考慮することなく上述したようにイヤホン収容体１をイヤホン１００ａに装着して使用することができる。
【００７０】  また、例えば、図３（ｂ）に示すように、分岐部１０１近傍の中央配線１０４の途中にコントローラ１０６が配設されているような第二コントローラ付きイヤホン１００ｂの場合であれば、コントローラ１０６の上方で第一固定部５による固定を行うように装着でき、第二コントローラ付きイヤホン１００ｂの使用時であってもコントローラ１０６は外部に露出しているので支障なくコントローラ操作を行うことができる。
【００７１】  なお、収縮した筒状部２が、元の筒状に戻ろうとする若干の付勢力が発生するが、第二コントローラ付きイヤホン１００ｂの使用時にこれを抑制できることは上述した通りである。
【００７２】  また、例えば、図３（ｃ）に示すように、上述と同様の第二コントローラ付きイヤホン１００ｂの場合であれば、第二コントローラ付きイヤホン１００ｂの使用時にコントローラ１０６を筒状部２で被覆しない位置であるコントローラ１０６の下方の中央配線１０４の途中で第一固定部５による固定を行うように装着でき、第二コントローラ付きイヤホン１００ｂの使用時であってもコントローラ１０６は外部に露出しているので支障なくコントローラ操作を行うことができる。
【００７３】  この場合、収縮した筒状部２が、元の筒状に戻ろうとする若干の付勢力によって上開口部３側の筒状部２の端部近傍がコントローラ１０６の下方を被覆してしまう可能性があるので、これを考慮して、筒状部２の上開口部３側に上述した第二固定部１０を配設したイヤホン収容体１を使用して、収縮した筒状部２の上方への移動を防止することが望ましい。
【００７４】  以上、説明したように第一の実施形態に係るイヤホン収容体１をイヤホン１００，１００ａ，１００ｂに装着することで、イヤホン１００，１００ａ，１００ｂの不使用時には、各配線１０３Ｒ，１０３Ｌ，１０４の絡まりを防止することが可能になると共に、イヤホン１００，１００ａ，１００ｂの使用時には、簡単な操作で左右の配線１０３Ｒ，１０３Ｌを被覆していた筒状部２を可及的速やかに押し下げて収縮させることができるので、不使用状態から使用状態への移行作業を極めて容易に行うことができる。
【００７５】  また、配線の絡まり防止機構が一体となったイヤホンを購入する必要がないので、使用するイヤホンの選択の幅が広がり、イヤホンの性能等の本質的な部分を満足させたまま配線の絡まり防止策を講じることができる。
【００７６】  また、構造が単純であるため故障し難く、長期に渡って継続して使用することができると共に、故障の際にもイヤホン自体を交換することなく、イヤホン収容体１のみを容易に交換することができるので経済的にも有利である。
【００７７】  また、配線１０３Ｒ，１０３Ｌ，１０４の途中や分岐部１０１にコントローラ１０６が配設されているようなイヤホン１００ａ，１００ｂであっても装着できるため、イヤホン購入時の選択の幅が広がる。
【００７８】  また、本実施形態に係るイヤホン収容体１は、構造上、及び使用材料の点から配線の絡まり防止機構が一体となった既存のイヤホンに比して非常に軽量であることから、装着していることを意識することなく音楽等を楽しむことが可能となる。更に、使用者の様々な動作等によっても左右のスピーカユニット部１０２Ｒ，１０２Ｌが使用者の耳から外れてしまう心配がない。
【００７９】  なお、イヤホン収容体１を、何れの配線の何れの場所で固定するかについては、イヤホン収容体１の長さやＹ字状の分岐部１０１の位置やコントローラ１０６の位置等によって使用する者が任意に決めることができる。従って、本発明は上述した固定箇所に限定されるものではない。
【００８０】  以下、筒状部２の端部近傍にカバー体を配設した他の実施形態について説明するが、筒状部２、第一固定部５、第二固定部１０、滑り止め部９、摘み部１２等の機能や構造、使用態様や効果等については、上述した第一の実施形態に係るイヤホン収容体１と同様であるため、上述した実施形態と異なる点のみ説明し、その他は同一の符号を付して説明を適宜省略する。
【００８１】  また、上述した、滑り止め部９や第二固定部１０や摘み部１２については、後述する他の実施形態において、任意に付加することができるものとして説明を適宜省略する。
【００８２】［第二の実施形態］
図４（ａ）は、第二の実施形態に係るイヤホン収容体５０を示したものである。イヤホン収容体５０の筒状部２は、両端に上下開口部３，４を形成する筒状であって、下開口部４側の筒状部２の端部近傍に第一固定部５を配設している。また、上開口部３側の筒状部２の端部近傍には第一カバー体１８を形成している。
【００８３】  第一カバー体１８は、両端にカバー体第一開口部１９とカバー体第二開口部２０とを形成する中空の袋状であって、一方のカバー体第一開口部１９を形成する第一カバー体１８の端縁部と上開口部３側の筒状部２の端縁部とを全周に渡り連接しており、筒状部２の内周壁７から第一カバー体１８の表面２１までが連続するように形成している。他方のカバー体第二開口部２０を形成する第一カバー体１８の端部側には全周に渡り挿通孔２２を形成し、ゴム紐等の弾性体２３ａを挿通孔２２に挿通してカバー体第二開口部２０の内径を伸縮自在となるように伸縮部２３を形成している。また、第一カバー体１８の材料や材質は、上述した筒状部２と同様のものが使用できるが、筒状部２のような収縮性を要しないので、可撓性を有しカバー体第二開口部２０の内径を伸縮自在とできれば軽量化を考慮した様々な材料や材質を適宜使用することができる。
【００８４】  なお、伸縮部２３は、上述した挿通孔２２に紐を挿通してカバー体第二開口部２０の内径を任意に決定して挿通孔２２の外部で結紐固定したり、カバー体第二開口部２０の端部近傍に２本の紐を配設して内径を任意に決定し、第一カバー体１８の外部から第一カバー体１８と共に巻き付けながら結紐固定したり、上述した第一固定体６のように面ファスナーによって係合固定したりと、様々な方法でカバー体第二開口部２０の内径を伸縮自在とすることができる。従って、伸縮部２３の構造は本実施形態に限定されるものではない。
【００８５】  また、第一カバー体１８は、図４（ａ）に示すように、通常は、筒状部２の一部を被覆するようにカバー体第二開口部２０を下側にして、表面２１が露出した形態であり、カバー体第二開口部２０の通常の内径は筒状部２の外径よりも小さい。また、図４（ｂ）に示すように、第一カバー体１８を裏返して内面２４が露出するようにしてカバー体第二開口部２０を上側にした形態にもできる略球形の袋状であり、カバー体第二開口部２０の端部全周に渡り配設した弾性体２３ａにより、図４（ｃ）に示すように、カバー体第二開口部２０の内径を筒状部２の外径よりも大きく広げることができるように構成している。
【００８６】  また、本実施形態に係るイヤホン収容体５０の重さについては、例えば、約２．８ｇであり非常に軽量である。その構成は、ポリエステル製の０．０９ｍｍの厚みを有する材料を筒状部２と第一カバー体１８に使用し、伸縮部２３の弾性体２３ａとしてゴム紐を備え、筒状部２の長さを３８ｃｍとし、第一固定部５を備えたものである。
【００８７】  次に、以上のように構成した第二の実施形態に係るイヤホン収容体５０の使用態様について説明する。
【００８８】  まず、図５（ａ）に示すように、第一カバー体１８を左右のスピーカユニット部１０２Ｒ，１０２Ｌ側に位置させ、下方の中央配線１０４の途中で第一固定部５の第一固定体６によって固定するようにイヤホン収容体５０をイヤホン１００に装着する。
【００８９】  このようにイヤホン収容体５０をイヤホン１００に装着することで、イヤホン１００の不使用時に各配線１０３Ｒ，１０３Ｌ，１０４の絡まりを防止できる。
【００９０】  更に、図５（ｂ）に示すように、第一カバー体１８の表面２１が左右のスピーカユニット部１０２Ｒ，１０２Ｌと当接するように第一カバー体１８を裏返して折り返すと左右のスピーカユニット部１０２Ｒ，１０２Ｌ全体を被覆して収容することができるので、上述同様に各配線１０３Ｒ，１０３Ｌ，１０４の絡まりを防止できると共に、左右のスピーカユニット部１０２Ｒ，１０２Ｌを保護することができる
【００９１】  イヤホン１００を使用する際には、図５（ａ）、（ｃ）に示すように、第一カバー体１８が位置する左右のスピーカユニット部１０２Ｒ，１０２Ｌ側近傍の筒状部２を手指で把持して下開口部４側に向かって押し下げ、不規則な蛇腹状に収縮された筒状部２全体を第一カバー体１８によって被覆することができる。この場合、弾性体２３ａを備えたカバー体第二開口部２０の伸縮部２３を人手で押し広げて、収縮した筒状部２を包み込むようにして被覆する。ここで、カバー体第二開口部２０の通常の内径は筒状部２の外径よりも小さいので、筒状部２が上方に復帰しようとする付勢力を伸縮部２３で抑えて、筒状部２を第一カバー体１８内部に安定して収容させることができる。これにより、簡単な操作で左右の配線１０３Ｒ，１０３Ｌが露出し、可及的速やかに左右のスピーカユニット部１０２Ｒ，１０２Ｌを左右の耳に装着して使用することが可能となる。
【００９２】  また、イヤホン１００の使用を中止して鞄や洋服のポケット等に収納する場合には、第一カバー体１８の上部を手指で把持して、そのまま左右のスピーカユニット部１０２Ｒ，１０２Ｌの方向に向かって押し上げれば、図５（ａ）に示すようなイヤホン１００の不使用時の状態になるため、簡単な操作で可及的速やかに配線の絡まり防止を実現し、安心して収納することができる。
【００９３】  また、本実施形態に係るイヤホン収容体５０は、構造上、及び使用材料の点から配線の絡まり防止機構が一体となった既存のイヤホンに比して非常に軽量であることから、装着していることを意識することなく音楽等を楽しむことが可能となる。更に、使用者の様々な動作等によっても左右のスピーカユニット部１０２Ｒ，１０２Ｌが使用者の耳から外れてしまう心配がない。
【００９４】  なお、本実施形態に係る第一カバー体１８の形状は略球形状としているが、収縮した筒状部２を収容できるものであれば、本実施形態に限定されるものではなく、発明の要旨を逸脱しない範囲の設計変更等があっても本発明に含まれる。
【００９５】［第三の実施形態］
図６（ａ）は、第三の実施形態に係るイヤホン収容体６０を示したものである。イヤホン収容体６０の筒状部２は、両端に上下開口部３，４を形成する筒状であって、下開口部４側の筒状部２の端部近傍に第一固定部５を配設している。また、上開口部３側の筒状部２の端部近傍には第二カバー体２５を形成している。
【００９６】  第二カバー体２５は、両端にカバー体第三開口部２６とカバー体第四開口部２７とを形成する中空の袋状であって、一方のカバー体第三開口部２６を形成する第二カバー体２５の端縁部と上開口部３側の筒状部２の端縁部とを全周に渡り連接しており、筒状部２の内周壁７から第二カバー体２５の表面２１までが連続するように形成している。他方のカバー体第四開口部２７を形成する第二カバー体２５の端部側には全周に渡り挿通孔２２を形成し、ゴム製のＯリングよりなる筒状部２の外径よりも大きい内径のフレーム体２８を挿通孔２２に挿通して押し下げ部２９を構成している。
【００９７】  なお、本実施形態においては、フレーム体２８にゴム製のＯリングを使用しているが、後述する使用態様を実行できるものであれば、形状が円環状である必要はなく、材質等も本実施形態に限定されるものでない。また、第二カバー体２５の材料や材質は、上述した筒状部２と同様のものが使用できるが、筒状部２のような収縮性を要しないので、可撓性を有していれば軽量化を考慮した様々な材料や材質を適宜使用することができる。
【００９８】  また、第二カバー体２５は、図６（ａ）に示すように、通常は、筒状部２の一部を被覆するようにカバー体第四開口部２７を下側にして、表面２１が露出した形態である。また、図６（ｂ）に示すように、第二カバー体２５を裏返して内面２４が露出するようにしてカバー体第四開口部２７を上側にした形態にもできる略円錐台形の袋状である。
【００９９】  なお、本実施形態においては、カバー体第四開口部２７を形成する第二カバー体２５の端部にフレーム体２８を配設しているが、カバー体第四開口部２７の内径が筒状部２の外径よりも大きく形成しているものであれば、筒状部２を収縮させて第二カバー体２５内部に収容する際に若干の慣れが必要ではあるが、フレーム体２８を配設しなくても同様の効果を奏することができる。
【０１００】  また、本実施形態に係るイヤホン収容体６０の重さについては、例えば、約３．２ｇであり非常に軽量である。その構成は、ポリエステル製の０．０９ｍｍの厚みを有する材料を筒状部２と第二カバー体２５に使用し、フレーム体２８として内径２２ｍｍのＯリングを備え、筒状部２の長さを３８ｃｍとし、第一固定部５を備えたものである。
【０１０１】  次に、以上のように構成した第三の実施形態に係るイヤホン収容体６０の使用態様について説明する。
【０１０２】  まず、図７（ａ）に示すように、第二カバー体２５を左右のスピーカユニット部１０２Ｒ，１０２Ｌ側に位置させ、下方の中央配線１０４の途中で第一固定部５の第一固定体６によって固定するようにイヤホン収容体６０をイヤホン１００に装着する。
【０１０３】  このようにイヤホン収容体６０をイヤホン１００に装着することで、イヤホン１００の不使用時に各配線１０３Ｒ，１０３Ｌ，１０４の絡まりを防止できる。
【０１０４】  更に、図７（ｂ）に示すように、第二カバー体２５の表面２１が左右のスピーカユニット部１０２Ｒ，１０２Ｌと当接するように第二カバー体２５を裏返して折り返すと左右のスピーカユニット部１０２Ｒ，１０２Ｌ全体を被覆して収容することができるので、上述同様に各配線１０３Ｒ，１０３Ｌ，１０４の絡まりを防止できると共に、左右のスピーカユニット部１０２Ｒ，１０２Ｌを保護することができる
【０１０５】  イヤホン１００を使用する際には、図７（ａ）、（ｃ）に示すように、第二カバー体２５が位置する左右のスピーカユニット部１０２Ｒ，１０２Ｌ側近傍の筒状部２、又はカバー体第四開口部２７の押し下げ部２９を手指で把持して下開口部４側に向かって押し下げ、不規則な蛇腹状に収縮された筒状部２全体を第二カバー体２５によって被覆することができる。この場合、カバー体第四開口部２７の内径は筒状部２の外径よりも大きいので、筒状部２の下方への押し下げによる収縮と共に、第二カバー体２５の内部に収縮した筒状部２を可及的速やかに収容させることができる。最終的に第二カバー体２５の内部に収容された筒状部２は不規則な蛇腹状となるため、カバー体第四開口部２７の内径よりも不規則な蛇腹状となった筒状部２全体の外径の方が大きくなるため、第二カバー体２５の内面２４に筒状部２が付勢力を与え、筒状部２が上方に復帰しようとする付勢力を第二カバー体２５の内面２４で抑えて、筒状部２を第二カバー体２５内部に安定して収容させることができる。これにより、簡単な操作で左右の配線１０３Ｒ，１０３Ｌが露出し、可及的速やかに左右のスピーカユニット部１０２Ｒ，１０２Ｌを左右の耳に装着して使用することが可能となる。
【０１０６】  また、イヤホン１００の使用を中止して鞄や洋服のポケット等に収納する場合には、第二カバー体２５の上部を手指で把持して、そのまま左右のスピーカユニット部１０２Ｒ，１０２Ｌの方向に向かって押し上げれば、図７（ａ）に示すようなイヤホン１００の不使用時の状態になるため、簡単な操作で可及的速やかに配線の絡まり防止を実現し、安心して収納することができる。
【０１０７】  また、本実施形態に係るイヤホン収容体６０は、構造上、及び使用材料の点から配線の絡まり防止機構が一体となった既存のイヤホンに比して非常に軽量であることから、装着していることを意識することなく音楽等を楽しむことが可能となる。更に、使用者の様々な動作等によっても左右のスピーカユニット部１０２Ｒ，１０２Ｌが使用者の耳から外れてしまう心配がない。
【０１０８】  なお、本実施形態に係る第二カバー体２５の形状は略円錐台形としているが、収縮した筒状部２を収容できるものであれば、本実施形態に限定されるものではなく、発明の要旨を逸脱しない範囲の設計変更等があっても本発明に含まれる。
【０１０９】［第四の実施形態］
図８（ａ）、（ｂ）は、第四の実施形態に係るイヤホン収容体７０を示したものである。イヤホン収容体７０の筒状部２は、両端に上下開口部３，４を形成する筒状であって、下開口部４側の筒状部２の端部近傍に第一固定部５を配設している。また、上開口部３側の筒状部２の端部近傍には第三カバー体３０を形成している。
【０１１０】  第三カバー体３０は、外観視略三角形のシート状であり、角部に相当する一方の端縁部と上開口部３側の筒状部２の端縁部とを連接しており、筒状部２の内周壁７から第三カバー体３０の表面２１までが連続するように形成している。また、図８（ａ）に示すように、他方の２つの角部に相当する箇所の近傍であって、表面２１側には、略正方形状の面ファスナーによるカバー体側第一係合部３１，３１を各々形成している。また、図８（ｂ）に示すように、他方の２つの角部に相当する箇所の近傍であって、筒状部２の外周壁１５から連続する面である内面２４側にも、略正方形状の面ファスナーによるカバー体側第二係合部３２，３２を各々形成している。
【０１１１】  また、筒状部２の上開口部３近傍であって、第三カバー体３０と筒状部２とが連接する側と対向する側の筒状部２の外周壁１５には、カバー体側第一係合部３１，３１と係合可能な左右方向を長手方向とする略長方形状の面ファスナーによる筒状部側第一係合部３３を形成している。
【０１１２】  更に、筒状部２の下開口部４近傍であって、筒状部側第一係合部３３と対向する位置にカバー体側第二係合部３２，３２と係合可能な左右方向を長手方向とする略長方形状の面ファスナーによる筒状部側第二係合部３４を形成している。また、第三カバー体３０の材料や材質は、上述した筒状部２と同様のものが使用できるが、筒状部２のような収縮性を要しないので、可撓性を有していれば軽量化を考慮した様々な材料や材質を適宜使用することができる。
【０１１３】  なお、本実施形態においては、カバー体側第一係合部３１，３１やカバー体側第二係合部３２，３２、及び筒状部側第一係合部３３や筒状部側第二係合部３４として面ファスナーを使用しているが、スナップボタンやホック、バックルや紐等の係合可能な部材を適宜使用できる。
【０１１４】  また、本実施形態においては、カバー体側第一係合部３１，３１と筒状部側第一係合部３３とを係合可能としているが、筒状部側第一係合部３３を形成せずに、カバー体側第一係合部３１，３１を一対の係合部としてもよい。
【０１１５】  更に、本実施形態においては、カバー体側第二係合部３２，３２と筒状部側第二係合部３４とを係合可能としているが、筒状部側第二係合部３４を形成せずに、カバー体側第二係合部３２，３２を一対の係合部としてもよい。
【０１１６】  また、各係合部３１，３２，３３，３４の形状や数量は、本実施形態に限定されるものではない。
【０１１７】  また、本実施形態に係るイヤホン収容体７０の重さについては、例えば、約２．７ｇであり非常に軽量である。その構成は、ポリエステル製の０．０９ｍｍの厚みを有する材料を筒状部２と第三カバー体３０に使用し、カバー体側第一係合部３１，３１を面ファスナーとして備え、筒状部２の長さを３８ｃｍとし、第一固定部５を備えたものである。
【０１１８】  次に、以上のように構成した第四の実施形態に係るイヤホン収容体７０の使用態様について説明する。
【０１１９】  まず、図９（ａ）に示すように、第三カバー体３０を左右のスピーカユニット部１０２Ｒ，１０２Ｌ側に位置させ、下方の中央配線１０４の途中で第一固定部５の第一固定体６によって固定するようにイヤホン収容体７０をイヤホン１００に装着する。
【０１２０】  このようにイヤホン収容体７０をイヤホン１００に装着することで、イヤホン１００の不使用時に各配線１０３Ｒ，１０３Ｌ，１０４の絡まりを防止できる。
【０１２１】  更に、図９（ｂ）に示すように、第三カバー体３０の表面２１が左右のスピーカユニット部１０２Ｒ，１０２Ｌと当接するように第三カバー体３０を折り返し、各カバー体側第一係合部３１，３１の面ファスナーを筒状部側第一係合部３３の面ファスナーと係合させることで袋状とし、左右のスピーカユニット部１０２Ｒ，１０２Ｌ全体を被覆して収容することができる。従って、上述同様に各配線１０３Ｒ，１０３Ｌ，１０４の絡まりを防止できると共に、左右のスピーカユニット部１０２Ｒ，１０２Ｌを保護することができる
【０１２２】  なお、筒状部側第一係合部３３を形成せずに、カバー体側第一係合部３１，３１を一対の係合部として構成した場合においても、本係合によって第三カバー体３０を袋状とし、上述同様に左右のスピーカユニット部１０２Ｒ，１０２Ｌ全体を被覆して収容することができる。
【０１２３】  イヤホン１００を使用する際には、図９（ａ）、（ｃ）に示すように、第三カバー体３０が位置する左右のスピーカユニット部１０２Ｒ，１０２Ｌ側近傍の筒状部２を手指で把持して下開口部４側に向かって押し下げ、第三カバー体３０の表面２１が露出するように折り返し、カバー体側第二係合部３２，３２の面ファスナーを筒状部側第二係合部３４の面ファスナーと係合させることで袋状となり、不規則な蛇腹状に収縮された筒状部２全体を第三カバー体３０によって被覆することができる。この場合、筒状部２が上方に復帰しようとする付勢力をカバー体側第二係合部３２，３２と筒状部側第二係合部３４との係合で抑えて、筒状部２を第三カバー体３０内部に安定して収容させることができる。これにより、簡単な操作で左右の配線１０３Ｒ，１０３Ｌが露出し、可及的速やかに左右のスピーカユニット部１０２Ｒ，１０２Ｌを左右の耳に装着して使用することが可能となる。
【０１２４】  なお、筒状部側第二係合部３４を形成せずに、カバー体側第二係合部３２，３２を一対の係合部として構成した場合においても、本係合によって第三カバー体３０を袋状とし、上述同様に不規則な蛇腹状に収縮された筒状部２全体を第三カバー体３０によって被覆することができる。この場合であっても、筒状部２が上方に復帰しようとする付勢力をカバー体側第二係合部３２，３２による係合で抑えて、筒状部２を第三カバー体３０内部に安定して収容させることができる。
【０１２５】  また、イヤホン１００の使用を中止して鞄や洋服のポケット等に収納する場合には、カバー体側第二係合部３２，３２と筒状部側第二係合部３４との係合を外し、第三カバー体３０の上部を手指で把持して、そのまま左右のスピーカユニット部１０２Ｒ，１０２Ｌの方向に向かって押し上げれば、図９（ａ）に示すようなイヤホン１００の不使用時の状態になるため、簡単な操作で可及的速やかに配線の絡まり防止を実現し、安心して収納することができる。
【０１２６】  なお、筒状部側第二係合部３４を形成せずに、カバー体側第二係合部３２，３２を一対の係合部として構成した場合においては、カバー体側第二係合部３２，３２の係合を外さなくても、第三カバー体３０の上部を手指で把持して、そのまま左右のスピーカユニット部１０２Ｒ，１０２Ｌの方向に向かって押し上げることが可能である。
【０１２７】  また、本実施形態に係るイヤホン収容体７０は、構造上、及び使用材料の点から配線の絡まり防止機構が一体となった既存のイヤホンに比して非常に軽量であることから、装着していることを意識することなく音楽等を楽しむことが可能となる。更に、使用者の様々な動作等によっても左右のスピーカユニット部１０２Ｒ，１０２Ｌが使用者の耳から外れてしまう心配がない。
【０１２８】  なお、本実施形態に係る第三カバー体３０の形状は外観視略三角形としているが、収縮した筒状部２を収容できるものであれば、本実施形態に限定されるものではなく、発明の要旨を逸脱しない範囲の設計変更等があっても本発明に含まれる。
【０１２９】  ここで、上述した本発明の実施形態の変形例を説明する。なお、以下の説明においては、上述した実施形態と異なる点のみ説明し、その他は同一の符号を付して説明は適宜省略する。
【０１３０】［第二の実施形態の変形例］
図１０（ａ）、（ｂ）、（ｃ）は、第二の実施形態に係るイヤホン収容体５０の第一カバー体１８の位置を上下逆に配設した変形例に係るイヤホン収容体５０ａを示したものであり、図１１（ａ）、（ｂ）、（ｃ）は、イヤホン収容体５０ａをイヤホン１００に装着した状態を示したものである。
【０１３１】  このように構成したイヤホン収容体５０ａは、図１１（ｂ）に示すように、接続端子１０５側に第一カバー体１８の内面２４が視認できるように裏返して折り返すと、露出していた中央配線１０４を第一カバー体１８内部へ押し込んで収容することができるので、各配線１０３Ｒ，１０３Ｌ，１０４の絡まりを更に防止することができる。
【０１３２】  なお、接続端子１０５を中央配線１０４と一緒に収容すると、第一カバー体１８の内部で中央配線１０４が絡まる可能性が高いので、接続端子１０５は、カバー体第二開口部２０から外側に露出させておくことが望ましい。
【０１３３】  また、第二の実施形態に係るイヤホン収容体５０と同様に、図１１（ａ）に示すように、イヤホン１００の不使用時に各配線１０３Ｒ，１０３Ｌ，１０４の絡まりを防止することや、図１１（ｃ）に示すように、イヤホン１００の使用時に不規則な蛇腹状に収縮した筒状部２が上方に復帰しようとする付勢力を伸縮部２３で抑えて、筒状部２を第一カバー体１８内部に安定して収容させることができる。これにより、簡単な操作で左右の配線１０３Ｒ，１０３Ｌが露出し、可及的速やかに左右のスピーカユニット部１０２Ｒ，１０２Ｌを左右の耳に装着して使用することが可能となる。
【０１３４】［第三の実施形態の変形例］
次に、第三の実施形態に係るイヤホン収容体６０の変形例を説明する。本変形例に係るイヤホン収容体（図示せず）は、上述した第二の実施形態に係るイヤホン収容体５０の変形例と同様に、第三の実施形態に係るイヤホン収容体６０の第二カバー体２５の位置を上下逆に配設したものである。
【０１３５】  このように構成することで、第三の実施形態に係るイヤホン収容体６０と同様に、イヤホン１００の不使用時に各配線１０３Ｒ，１０３Ｌ，１０４の絡まりを防止することや、イヤホン１００の使用時に第二カバー体２５の内面２４に不規則な蛇腹状に収縮した筒状部２が付勢力を与え、筒状部２が上方に復帰しようとする付勢力を第二カバー体２５の内面２４で抑えて、筒状部２を第二カバー体２５内部に安定して収容させることができる。これにより、簡単な操作で左右の配線１０３Ｒ，１０３Ｌが露出し、可及的速やかに左右のスピーカユニット部１０２Ｒ，１０２Ｌを左右の耳に装着して使用することが可能となる。
【０１３６】［第四の実施形態の変形例］
次に、第四の実施形態に係るイヤホン収容体７０の変形例を説明する。本変形例に係るイヤホン収容体（図示せず）は、上述した第二・第三の実施形態に係るイヤホン収容体５０，６０の変形例と同様に、第四の実施形態に係るイヤホン収容体７０の第三カバー体３０の位置を上下逆に配設したものである。
【０１３７】  このように構成することで、第四の実施形態に係るイヤホン収容体７０と同様に、イヤホン１００の不使用時に各配線１０３Ｒ，１０３Ｌ，１０４の絡まりを防止することや、イヤホン１００の使用時に不規則な蛇腹状に収縮された筒状部２が上方に復帰しようとする付勢力をカバー体側第二係合部３２，３２と筒状部側第二係合部３４との係合で抑えて、筒状部２を第三カバー体３０内部に安定して収容させることができる。これにより、簡単な操作で左右の配線１０３Ｒ，１０３Ｌが露出し、可及的速やかに左右のスピーカユニット部１０２Ｒ，１０２Ｌを左右の耳に装着して使用することが可能となる。
【０１３８】  なお、筒状部側第二係合部３４を形成せずに、カバー体側第二係合部３２，３２を一対の係合部として構成した場合においても、筒状部２が上方に復帰しようとする付勢力をカバー体側第二係合部３２，３２による係合で抑えて、筒状部２を第三カバー体３０内部に安定して収容させることができる。
【０１３９】  このように、第一の実施形態から第四の実施形態、及び各変形例に係るイヤホン収容体の構造や使用態様等を説明したが、収縮した筒状部２を被覆可能であれば、各カバー体１８，２５，３０の形状や被覆方法等については本実施形態等に限定されるものではない。
【０１４０】  また、以下に、上述したイヤホン収容体に関する更なる使用態様や効果等について説明する。
【０１４１】  まず、全ての実施形態や変形例に係るイヤホン収容体１，５０，５０ａ，６０，７０には共通して同様の筒状部２を備えていることから、図１２（ａ）に示すように筒状部２の外周壁１５にデザイン等３５を施したり、歌手や音楽バンド等の名前や広告を表示したりすることが可能であり、イヤホン１００，１００ａ，１００ｂを収納して持ち歩く際に、イヤホン１００，１００ａ，１００ｂのアクセントとしてファッションの一部とすることができるので、外出先においても抵抗なく持ち歩いて使用することができる。
【０１４２】  また、第一の実施形態以外に係るイヤホン収容体５０，５０ａ，６０，７０においては、イヤホン１００，１００ａ，１００ｂの使用時に、各カバー体１８，２５，３０が不規則な蛇腹状に収縮した筒状部２を被覆して収容するため、例えば、図１２（ｂ）に示すように、第一カバー体１８の表面２１にデザイン等３５を施したり、歌手や音楽バンド等の名前や広告を表示したりすることが可能であり、イヤホン収容体５０，５０ａ，６０，７０を単なるイヤホン１００，１００ａ，１００ｂの配線の絡まりを防止する手段として捉えること以外に、イヤホン１００，１００ａ，１００ｂのアクセントとしてファッションの一部とすることができるので、外出先においても抵抗なく使用することができる。
【０１４３】  また、上述した各カバー体１８，２５，３０の表面２１には、キャラクターの顔等を形成したり、耳等を付加したり、更には、各カバー体１８，２５，３０そのものの形状をキャラクター等の形状にすることも可能であり、イヤホン１００，１００ａ，１００ｂのアクセントとしてファッションの一部とすることができるので、外出先においても抵抗なく使用することができる。
【０１４４】  なお、上述したデザイン等３５やキャラクターの形状等については、各カバー体１８，２５，３０を被覆するように別体のカバー体（図示せず）を更に配設して同様の効果を得ることも可能である。
【０１４５】  また、全ての実施形態や変形例に係るイヤホン収容体１，５０，５０ａ，６０，７０は、イヤホン１００，１００ａ，１００ｂに容易に装着できるので、一つのイヤホン１００，１００ａ，１００ｂに対してデザイン等３５や形状の異なる複数のイヤホン収容体１，５０，５０ａ，６０，７０を使用することができ、ファッションの一部として楽しむことができる。
【０１４６】  イヤホン収容体５０，５０ａ，６０，７０の各カバー体１８，２５，３０の表面２１には、洋服や鞄等と係止可能なクリップや面ファスナー等による係合部材（図示せず）を配設することもできる。本係合部材を洋服等と係合すれば、筒状部２を収容した各カバー体１８，２５，３０の動きが規制されるので、イヤホン１００，１００ａ，１００ｂ使用時にイヤホン収容体５０，５０ａ，６０，７０の存在を更に意識することなく音楽等を楽しむことが可能となる。
【０１４７】  なお、本実施形態や変形例においては、左右のスピーカユニット部１０２Ｒ，１０２Ｌを両耳に直接装着するステレオタイプのイヤホン１００，１００ａ，１００ｂに、本発明に係るイヤホン収容体を装着した実施形態等を説明したが、両耳を挟持する形で使用するヘッドマウント型のヘッドホン（図示せず）においても同様に装着して使用でき、配線の絡まりを防止することが可能である。
【０１４８】  また、スピーカユニット部が一つであるモノラルタイプのイヤホン（図示せず）についても、ステレオタイプのイヤホン１００，１００ａ，１００ｂと同様に収納時に配線が絡まる問題を有しており、本発明に係るイヤホン収容体は、このようなモノラルタイプのイヤホンに対しても同様に装着して使用でき、配線の絡まりを防止することが可能である。
【０１４９】  また、左右のスピーカユニット部１０２Ｒ，１０２Ｌの配線１０３Ｒ，１０３Ｌの長さが異なる仕様のイヤホン（図示せず）であっても、本発明に係るイヤホン収容体を装着して使用でき、配線の絡まりを防止することが可能である。
【０１５０】  なお、上述した実施形態や変形例に係るイヤホン収容体１，５０，５０ａ，６０，７０をイヤホン１００，１００ａ，１００ｂ（ヘッドマウント型のヘッドホンとモノラルタイプのイヤホンを含む）に装着した完成品としてのイヤホンにおいても、本発明の要旨の範囲内に含まれるものである。
【０１５１】  以上、複数の実施形態や変形例を説明したが、本発明の具体的な構成は上述した実施形態や変形例に限定されるものではなく、発明の要旨を逸脱しない範囲の設計変更等があっても本発明に含まれる。
【符号の説明】
【０１５２】１，５０，５０ａ，６０，７０  イヤホン収容体
２  筒状部
３  上開口部
４  下開口部
５  第一固定部
７  内周壁
９  滑り止め部
１０  第二固定部
１５  外周壁
１８  第一カバー体
１９  カバー体第一開口部
２０  カバー体第二開口部
２３  伸縮部
２３ａ  弾性体
２４  内面
２５  第二カバー体
２６  カバー体第三開口部
２７  カバー体第四開口部
２８  フレーム体
２９  押し下げ部
３０  第三カバー体
３２  カバー体側第二係合部
１００  イヤホン
１００ａ  第一コントローラ付きイヤホン
１００ｂ  第二コントローラ付きイヤホン
１０３Ｌ  左配線
１０３Ｒ  右配線
１０４  中央配線
【図１】
2014087038.tif 000003
【図２】
2014087038.tif 000004
【図３】
2014087038.tif 000005
【図４】
2014087038.tif 000006
【図５】
2014087038.tif 000007
【図６】
2014087038.tif 000008
【図７】
2014087038.tif 000009
【図８】
2014087038.tif 000010
【図９】
2014087038.tif 000011
【図１０】
2014087038.tif 000012
【図１１】
2014087038.tif 000013
【図１２】
2014087038.tif 000014